(57)【要約】【課題】基材シートを拡げて排水部を立体的構造にし捕捉効率を向上させると共に、基材シートの大きさを小さくして材料を低減する。【解決手段】基材シート１ａにスリット部２が設けられ、スリット状の多数の切込部２ａが縦方向に直線状に切り込まれ、切込部２ａの端部間は接続部２ｂにより直線状に接続されて複数列の切込列２ｃが形成されている。切込列２ｃは横方向に切込部２ａの縁部である縁片部２ｄを介して他の切込列２ｃと平行に設けられている。使用に際して、基材シート１ａを矢印のように横方向に引っ張ると、各切込部２ａは拡がって唇形状の開口部２ｅに変形し、開口部２ｅに接する縁片部２ｄが捩られて開口部２ｅに対して立ち上がる。このように、立ち上がった縁片部２ｄには、毛髪や塵芥等のごみが絡まって捕捉し易くなる。【選択図】図２
2015143441.tif 000002
【特許請求の範囲】
【請求項１】
裏面に粘着層を設けた基材シートと、前記粘着層に貼り付けた離型紙とから成る排水口用フィルタであって、
前記基材シートにはスリット状の切込部と該切込部間を接続する接続部とを交互に直線状に配置した切込列を平行に複数列に配列し、
前記切込列の前記切込部の側方に縁片部を介して隣接する前記切込部の前記接続部が位置するようにし、
使用時に、前記離型紙を剥離した前記基材シートを、前記切込部の切込方向に対し直交方向に引っ張ることにより、前記切込部を拡げて開口すると共に前記縁片部を立ち上げることを特徴とする排水口用フィルタ。
【請求項２】
前記切込部の長さは前記接続部の長さよりも大きくしたことを特徴とする請求項１に記載の排水口用フィルタ。
【請求項３】
前記基材シートは略四角形状としたことを特徴とする請求項１又は２に記載の排水口用フィルタ。
【請求項４】
複数列の前記切込列は、前記基材シートの中央帯状に配置したことを特徴とする請求項１〜３の何れか１項に記載の排水口用フィルタ。
【請求項５】
前記中央帯状に配置した複数列の前記切込列の両側に、複数個の透孔をそれぞれ配置したことを特徴とする請求項４に記載の排水口用フィルタ。
【発明の詳細な説明】
【技術分野】
【０００１】
本発明は、例えば風呂や洗面所等の排水口に設けられた目皿上に取り付けて使用する排水口用フィルタに関するものである。
【背景技術】
【０００２】
一般に風呂、洗面所等の排水口には、排水管内に毛髪や塵芥等のごみが流入することを防止するために、毛髪や塵芥等のごみを除去する目皿が取り付けられている。毛髪や塵芥等のごみが目皿に詰まり、水が排水し難くなると、目皿上に溜まった毛髪や塵芥等のごみを除去する必要があるが、目皿に絡みついた毛髪等のごみを除去するのはなかなか厄介である。
【０００３】
そこで近年では、排水口に装着された目皿上に使い捨ての排水口用フィルタを取り付け、掃除の手間を軽減する方法が採用されることがある。このための特許文献１に開示された排水口用フィルタでは、不織布又はフィルムシートから成る基材層の裏面に目皿に粘着するための粘着層を設け、これらの基材層及び粘着層に孔穿け加工を施して、透水性を付与するための多数の開口孔を形成している。
【先行技術文献】
【特許文献】
【０００４】
【特許文献１】特開２００４−６８５８８号公報
【発明の概要】
【発明が解決しようとする課題】
【０００５】
しかし、上述の排水口用フィルタの使用を続けると、通常では比較的短期間で毛髪等のごみが開口孔に目詰まりして排水性能が低下する。排水口付近に排水が滞留すると不衛生な状態となるので、現状の排水口用フィルタを剥がして廃棄し、新たな排水口用フィルタに貼り替える必要がある。
【０００６】
或る程度、ごみが開口孔に目詰まりしても、排水性能を低下しないようにするために開口孔の径を大きくすると、逆にごみが開口孔から流出してしまうという問題がある。また、不織布等から成る排水口用フィルタが破れ易くなるという問題もある。
【０００７】
本発明の目的は、上述の問題点を解消し、基材シートの一部を拡げることにより排水通過部を立体形状にして、ごみの捕捉効率を向上させると共に、基材シートの大きさを小さくし、材料コストを低減する排水口用フィルタを提供することにある。
【課題を解決するための手段】
【０００８】
上述の目的を達成するための本発明に係る排水口用フィルタは、裏面に粘着層を設けた基材シートと、前記粘着層に貼り付けた離型紙とから成る排水口用フィルタであって、前記基材シートにはスリット状の切込部と該切込部間を接続する接続部とを交互に直線状に配置した切込列を平行に複数列に配列し、前記切込列の前記切込部の側方に縁片部を介して隣接する前記切込部の前記接続部が位置するようにし、使用時に、前記離型紙を剥離した前記基材シートを、前記切込部の切込方向に対し直交方向に引っ張ることにより、前記切込部を拡げて開口すると共に前記縁片部を立ち上げることを特徴とする。
【発明の効果】
【０００９】
本発明の排水口用フィルタによれば、排水通過部を立体的な構造とすることで水はけがよくなると同時に、毛髪や塵芥等のごみを捕捉し易くする。
【図面の簡単な説明】
【００１０】
【図１】実施例の排水口用フィルタの平面図である。
【図２】横方向から引っ張った際の排水口用フィルタの平面図である。
【図３】基材シートを伸張した状態の一部を拡大した斜視図である。
【図４】排水口用フィルタを目皿上に取り付ける場合の説明図である。
【発明を実施するための形態】
【００１１】
本発明を図示の実施例に基づいて詳細に説明する。
図１は実施例の排水口用フィルタの平面図、図２は横方向から引っ張った状態の排水口用フィルタの平面図を示している。
【００１２】
排水口用フィルタ１は例えば長さ１５ｃｍ、幅１４ｃｍ程度の縦方向に稍々長い略長方形状のシート状である。この、排水口用フィルタ１は、裏面に粘着層を設けた基材シート１ａと、この基材シート１ａを覆うように基材シート１ａの粘着層に貼り付けられたほぼ同形状の離型紙１ｂとから構成されている。なお、排水口用フィルタ１の大きさは使用する排水口の大きさに適合するようなサイズを準備しておけばよい。
【００１３】
基材シート１ａはポリエステル、ポリプロピレン、ナイロン等から成る濾過性を有する不織布、合成樹脂フィルム、又は紙材等から構成されている。そして、基材シート１ａには、中央部に縦帯状に設けたスリット部２と、この中央帯状のスリット部２の両側に左右対称に円弧状に配置した複数個の透孔３と、四隅に設けた剥がし片４とが形成されている。
【００１４】
スリット部２では、スリット状の多数の切込部２ａが縦方向に直線状にマイクロスリット加工等により切り込まれている。これらの切込部２ａの端部間は、切込部２ａよりも長さが短い接続部２ｂにより交互に直線状に接続されて、１列の切込列２ｃが形成されている。このような切込列２ｃの多数列が、例えば２ｍｍの間隔をおいて平行に形成されている。
【００１５】
切込部２ａの長さは例えば５〜１５ｍｍ程度で、８ｍｍが好適であり、接続部２ｂの長さは例えば１〜３ｍｍ程度で、２ｍｍ程度が好適である。
【００１６】
これらの切込列２ｃは横方向に切込部２ａの縁部である縁片部２ｄを介して前述したように他の切込列２ｃと平行に設けられ、各切込部２ａの横方向には、隣接する切込列２ｃの接続部２ｂが位置するように配列されている。このように配置することで、切込部２ａは千鳥状に配置されることになり、１列おきの切込列２ｃは、同じ位置に配置された切込部２ａと接続部２ｂとを有する。
【００１７】
また、透孔３は両端が丸みを帯びた矩形状とされ、基材シート１ａのスリット部２の両側に設けられており、長辺の延長線が基材シート１ａの中心で交差するように放射状に配置されている。なお、透孔３は矩形状としたが、透孔３の幅方向である短辺と同等の長さの径の円形孔を多数、配置するようにしてもよい。
【００１８】
スリット部２の切込部２ａ及び透孔３を形成するのは基材シート１ａのみでもよく、基材シート１ａ及び離型紙１ｂの両方に切込部２ａ及び透孔３を設けるようにしてもよい。
【００１９】
また、透孔３を設けることなく、スリット部２のみを設ける構成にすることもできる。このような場合には、図１の排水口用フィルタ１と同等の排水性を保つために切込列２ｃの列数を増やすことが好ましい。
【００２０】
図２に示すように基材シート１ａを横方向の矢印方向に引っ張ると、スリット部２の各切込部２ａは切込み方向と直交する方向である横方向に拡がり、唇形状の開口部２ｅに変形する。このように拡がった開口部２ｅは、隣接する開口部２ｅとは千鳥状に配置されることになる。
【００２１】
図３は基材シート１ａを横方向に引っ張った状態の一部を拡大した斜視図である。切込部２ａを開口部２ｅに拡げることにより、開口部２ｅに接する縁片部２ｄが捩られてめくり上げられ、縁片部２ｄは開口部２ｅに対して表側又は裏側に向けて立ち上がることになる。
【００２２】
このように、立ち上がった縁片部２ｄにより立体的構造となった排水通過部により、毛髪や塵芥等のごみが絡まって捕捉し易くなる。また、開口部２ｅで捕捉されたごみの間には、従来製品の平面上の隙間に比べて立体的な隙間が生じているため、ごみの目詰まりによる排水性能の低下が従来製品に比べて発生し難い。また、透孔３は両端を半円形とした略矩形孔としているので、排水の流下性を良くしている。
【００２３】
この排水口用フィルタ１の使用時には、離型紙１ｂから剥がし片４を摘んで剥離した後に、両手の指で切込部２ａの切込方向と直交する横方向に引っ張って基材シート１ａを略正方形とした状態で、図４に示すように基材シート１ａを粘着層を下にして排水口の目皿Ｍ上に貼り付ける。このようにして、粘着層により目皿Ｍに貼り付けることによって、排水の水流により基材シート１が目皿Ｍから剥がれることが防止できる。
【００２４】
基材シート１ａを目皿Ｍに貼り付けた後に例えば洗髪を行うと、排水は基材シート１ａの開口部２ｅ及び透孔３、目皿Ｍの排水孔を通って排水管に流出する。この際に、抜け落ちた毛髪や大きな塵芥類のごみは、開口部２ｅ及び透孔３を通過することができないので、開口部２ｅ及び透孔３に捕捉された状態となる。
【００２５】
例えば、数週間、連続して基材シート１ａを使用すると、基材シート１ａの表面、主に開口部１ｅの周辺にごみが溜まるので、基材シート１ａを目皿Ｍから剥がして、毛髪や塵芥等と共に廃棄する。この場合に、ごみは縁片部２ｄが立ち上っていることにより立体的に捕捉される分だけ、平面状の従来製品よりも大量のごみに対処することができる。そして、新しい基材シート１ａを目皿Ｍに貼り付ければよい。
【００２６】
特許文献１等の従来製品の排水口用フィルタは、使用前と使用中の排水口の大きさは、一致している。これに対して、本実施例の排水口用フィルタ１は、図２に示すように引っ張って使用する状態では、引っ張る前よりも横方向の長さが大きくなり、切込部２ａが拡がって開口部２ｅとなることにより、従来製品に比べて基材シート１ａの面積を小さく製造することができるので、材料コストを抑制することが可能となる。
【００２７】
また、基材シート１ａを横方向に引っ張ることにより、切込部２ａの縁部である縁片部２ｄが立ち上り、立体的な機能を有するフィルタとなるので、ごみの収集率が高まる。
【符号の説明】
【００２８】
１  排水口用フィルタ
１ａ  基材シート
１ｂ  離型紙
２  スリット部
２ａ  切込部
２ｂ  接続部
２ｃ  切込列
２ｄ  縁片部
２ｅ  開口部
３  透孔
４  剥がし片
Ｍ  目皿
【図１】
2015143441.tif 000003
【図２】
2015143441.tif 000004
【図３】
2015143441.tif 000005
【図４】
2015143441.tif 000006